(57)【要約】  ドライバーに対して器具を連結するためのデバイス(１)であって、当該デバイスは、使用時に器具に対して連結可能な少なくとも二つの突出部を有する第１のコネクター(３)と、連結ポジションと非連結ポジションとの間で突出部を動作させるための機構と、使用時にドライバーに対してデバイス(１)を連結するための第２のコネクター(１７)とを具備してなるデバイス(１)。ドライバーに対して器具を連結するための方法。
2011527216.tif 000002
【特許請求の範囲】
【請求項１】
ドライバーに対して器具を連結するためのデバイスであって、
使用時に前記器具に対して連結可能な少なくとも二つの突出部を有する第１のコネクターと、
連結ポジションと非連結ポジションとの間で前記突出部を動作させるための機構と、
使用時に前記ドライバーに対して前記デバイスを連結するための第２のコネクターと、
を具備してなることを特徴とするデバイス。
【請求項２】
使用時に、前記デバイスの前記突出部は、前記器具が前記デバイスによってクランプされるように前記器具に対してつながることを特徴とする請求項１に記載のデバイス。
【請求項３】
前記機構は、前記突出部を互いに独立して動作させることを特徴とする請求項１または請求項２に記載のデバイス。
【請求項４】
前記機構は、前記突出部を逆方向に動作させることを特徴とする請求項１ないし請求項３のいずれか１項に記載のデバイス。
【請求項５】
前記機構は、前記突出部を互いに独立して回転させることを特徴とする請求項１ないし請求項４のいずれか１項に記載のデバイス。
【請求項６】
前記機構は、前記突出部を逆方向に回転させることを特徴とする請求項１ないし請求項５のいずれか１項に記載のデバイス。
【請求項７】
少なくとも一つの突出部は、それが、前記器具の対応する特徴部と係合するような形状とされていることを特徴とする請求項１ないし請求項６のいずれか１項に記載のデバイス。
【請求項８】
少なくとも一つの突出部はキャッチの形態であることを特徴とする請求項１ないし請求項７のいずれか一項に記載のデバイス。
【請求項９】
前記器具は、前記デバイスの前記突出部との連結のための少なくとも一つのアームを有することを特徴とする請求項１ないし請求項８のいずれか１項に記載のデバイス。
【請求項１０】
前記少なくとも一つのアームは断面に関して円形であることを特徴とする請求項９に記載のデバイス。
【請求項１１】
前記少なくとも一つのアームはｎ個の面を有し、かつ、ｎは３以上であることを特徴とする請求項９に記載のデバイス。
【請求項１２】
前記少なくとも一つのアームは断面に関して長方形であることを特徴とする請求項１１に記載のデバイス。
【請求項１３】
前記第１のコネクターはドライブシャフトの前記遠位端部に配置され、かつ、前記第２のコネクターは前記ドライブシャフトの前記近位端部に配置されることを特徴とする請求項１ないし請求項１２のいずれか１項に記載のデバイス。
【請求項１４】
前記器具はカッティングツールであることを特徴とする請求項１ないし請求項１３のいずれか１項に記載のデバイス。
【請求項１５】
前記ドライバーは回転駆動源であることを特徴とする請求項１ないし請求項１４のいずれか１項に記載のデバイス。
【請求項１６】
実質的に、図面を参照して、明細書中で説明されたデバイス。
【請求項１７】
ドライバーに対して器具を連結するための方法であって、
請求項１ないし請求項１６のいずれか１項に記載のデバイスを提供するステップと、
請求項１ないし請求項１６のいずれか１項に記載の器具を提供するステップと、
請求項１ないし請求項１６のいずれか１項に記載のドライバーを提供するステップと、
前記器具を前記第１のコネクターに連結するステップと、
前記第２のコネクターに対して前記ドライバーを連結するステップと、
を具備することを特徴とする方法。
【請求項１８】
実質的に、図面を参照して、明細書中で説明された方法。
【発明の詳細な説明】
【技術分野】
【０００１】
本発明は、ドライバーに対して器具を連結するためのデバイスに関する。特に、本発明は、ドライバーに対してカッティングツールを連結するためのデバイスに関する。
【背景技術】
【０００２】
大掛かりな整形外科器具キットは手術環境には好ましいものではない。器具キットのサイズを低減するために、モジュラー接続部の使用が普通になってきている。モジュラー接続部の導入前に、全てのカッティング器具に対して固定されたハンドルを準備する必要があり、これはキットのサイズを著しく増大させる。モジュラー接続部を使用することによって、単一のハンドルは全ての範囲の器具と連係し得る。モジュラー接続部は、スリーブカッター、面取りカッター、プレーンカッター、および寛骨臼カッターなどのカッティング器具を含む、ある範囲の回転器具と共に使用される。
【０００３】
二つの特殊な設計のモジュラー接続部が、回転器具、すなわち「十字架」接続部および「ブリッジバック」接続部と共に標準となった。ドライバーハンドル上の公知のモジュラー接続部は、係合する器具の上記タイプの接続部の一つと連係するのにだけ役立つ。そうしたモジュラー接続部には、それらは一般に異なるタイプの器具キット間では伝達ができないという欠点がある。
【０００４】
公知のモジュラー接続部は、バイオネット式取り付け手段を使用する。この取り付け手段は、剛性の高い接続を実現せず、しかも、逆に、器具の性能に悪影響を及ぼし、デバイスの完全性を低下させることがある。
【発明の概要】
【発明が解決しようとする課題】
【０００５】
本発明は上記の問題を解決するものである。
【課題を解決するための手段】
【０００６】
本発明の第１の態様によれば、ドライバーに対して器具を連結するためのデバイスが提供されるが、当該デバイスは、
使用時に器具に対して連結可能な少なくとも二つの突出部を有する第１のコネクターと、
連結ポジションと非連結ポジションとの間で突出部を動作させるための機構と、
使用時にドライバーに対してデバイスを連結するための第２のコネクターとを具備してなる。
【０００７】
使用時、デバイスの突出部は、器具がデバイスによってクランプされるように器具に対してつながってもよい。
【０００８】
上記機構は、突出部を互いに独立して動作させてもよい。
【０００９】
上記機構は、突出部を逆方向に動作させてもよい。
【００１０】
上記機構は、突出部を互いに独立して回転させてもよい。
【００１１】
上記機構は、突出部を逆方向に回転させてもよい。
【００１２】
少なくとも一つの突出部は、それが、器具の対応する特徴部と係合するような形状とされてもよい。
【００１３】
少なくとも一つの突出部はキャッチの形態であってもよい。キャッチはテーパー状とされてもよい。
【００１４】
上記器具は少なくとも一つのアームを有していてもよい。デバイスの突出部は、この少なくとも一つのアームにつながってもよい。
【００１５】
少なくとも一つのアームは断面に関して円形であってもよい。少なくとも一つのアームはｎ個の面を有していてもよい(ここでｎは３以上である)。少なくとも一つのアームは断面に関して正方形であってもよい。少なくとも一つのアームは断面に関して長方形であってもよい。
【００１６】
第１のコネクターはドライブシャフトの遠位端部に配置されてもよく、かつ、第２のコネクターはドライブシャフトの近位端部に配置されてもよい。
【００１７】
上記器具はカッティングツールであってもよい。カッティングツールはリーマーであってもよい。カッティングツールはスリーブカッターであってもよい。カッティングツールは面取りカッターであってもよい。カッティングツールはプレーンカッターであってもよい。
【００１８】
ドライバーは回転駆動源であってもよい。回転駆動源は動力式ドリルであってもよい。
【００１９】
本発明に基づくデバイスの利点は、それらが、標準タイプの両モジュラー接続部、すなわち十字架およびブリッジバックを単一のデバイスに対して取り付けることを可能にするということである。本発明に基づくデバイスはまた、複数の異なる、非標準タイプのモジュラー接続部を単一のデバイスに対して取り付けることを可能にする。
【００２０】
本発明に基づくデバイスの他の利点は、それらが、公知のバイオネットタイプのデバイスよりもさらに確実な連結を実現するということである。これは、その上で、構造物がモジュラー接続部を支持する、より大きな領域に起因する。それはまた、突出部によってもたらされる「クランプ」作用にも起因する。
【００２１】
本発明の実施形態は、ブリッジバックあるいは十字架モジュラー接続部に対して確実につながることができるドライバーハンドルを提供する。器具は、剛性の高い接続を維持でき、容易にかつ直感的に使用でき、そして容易に洗浄できる、
【００２２】
本発明の好ましい実施形態によれば、本体部と回転ロックリングとを有するデバイスが提供される。本体部およびロックリングの両方は、ブリッジバックあるいは十字架接続部を確実に保持することを可能とする切欠き特徴部を有する。本体部に対してロックリングを回転させることによって、二つの切欠き特徴部は出会い、モジュラー接続部を保持するための凹部を形成する。
【００２３】
アセンブリを固定しかつモジュラー接続部がモジュラーハンドルと分離するのを阻止するために、スライド式固定ブロックもまた使用される。この固定ブロックは、モジュラーハンドルの軸線に沿ってスライドし、二つのコンポーネントが互いに回転するのを阻止するために、本体部およびロックリングにおける係合する特徴部を経て位置する。
【００２４】
以下、図面を参照して、本発明の実施例について説明する。
【図面の簡単な説明】
【００２５】
【図１】本発明の一実施形態に基づくデバイスの遠位端部を、閉ポジションにて示す図である。
【図２】図１のデバイスを開ポジションにて示す図である。
【図３】図１のデバイスの側面図である。
【図４】図１のデバイスを、構成部品を分離させた状態で示す図である。
【図５】十字架コネクターに連結された図１のデバイスを示す図である。
【図６】ブリッジバックコネクターに連結された図１のデバイスを示す図である。
【図７】本発明の他の実施形態に基づくデバイスの遠位端部を、閉ポジションにて示す図である。
【図８】図７のデバイスの側面図である。
【図９】十字架コネクターに連結された図７のデバイスを示す図である。
【図１０】ブリッジバックコネクターに連結された図７のデバイスを示す図である。
【発明を実施するための形態】
【００２６】
図１に示すように、デバイス１は本体部２を具備してなり、これは、カッティングツールの少なくとも一つのアームに対して、使用時に、連結可能な、その遠位端部に配置された第１のコネクター３を有する。図示する実施形態では、コネクター３は二つの同心リング４,５を具備してなる。内側リング４は本体部２の遠位端部に取り付けられており、かつ、本体部２の中心軸線周りに等間隔で配置されたテーパーキャッチ６ａの形態の四つの突出部を有する。テーパーキャッチ６ａは円形および矩形輪郭を備えた形状となっており、これによって、それらは、十字架接続部１９の丸い断面輪郭(図５参照)およびブリッジバック接続部２０の矩形輪郭(図６参照)の両方に対応する。
【００２７】
外側リング５は本体部２の上にスライド可能に設けられており、これによって、それを、使用時に、内側リング４の周囲に配置できる。外側リング５は、テーパーキャッチ８ａの形態の四つの突出部を有するが、これらは、本体部２の中心軸線の周りに等間隔で配置されている。テーパーキャッチ８ａは円形および矩形輪郭を備えた形状となっており、これによって、それらは、十字架接続部１９の丸い断面輪郭(図５参照)およびブリッジバック接続部２０の矩形輪郭(図６参照)の両方に対応する。外側リング５のテーパーキャッチ８ａは、内側リング４のテーパーキャッチ６ａと同じものであるが、それらは逆向きに配置されている点で異なる。
【００２８】
デバイス１に対してカッティングツールを固定するために、外側リング５が内側リング４の外面に対して同心状に配置される。外側リング５が内側リング４に対して反時計回りに回転させられるとき、テーパーキャッチ６ａ,８ａが出会い、キャビティを形成するが、このキャビティは、デバイス１に対してカッティングツールのモジュラー接続部(十字架あるいはブリッジバック)を固定する。これは、図１に示されるように、閉ポジションである。図２は、対応する開ポジションを示している。
【００２９】
外側リング５はまたスプリングプランジャを含むが、これは、本体部２の直径を完全に取り囲むように機械加工された半径方向溝１８上に位置する(図４参照)。こうした機構の目的は、外側リング５の意図しない軸方向に移動を抑止することである。
【００３０】
内側リング４および外側リング５が閉ポジションになると、固定ブロック９が、内側リング４に対する外側リング５の回転を阻止するために使用されるが、これは、デバイス１からのカッティングツールの分離を引き起こす。固定ブロック９は軸方向に本体部２に沿ってスライドし、かつ、そこから突出する二つのテーパーピン１０を有する(図１および図４参照)。テーパーピン１０は、内側リング４および外側リング５の両方の対応する孔１１内に収まる。テーパーの作用は、アセンブリがモジュラー接続部に対して、しっかりと固定されたままでいることを保証する。
【００３１】
システムの緊張状態を維持するために、圧縮スプリング１２およびバイオネットリリースリング１５が、固定ブロック９の後方に配置され、バイオネットリリースリングは、本体部２に配置されたＪスロット１６とリリース可能に連結することができる(図４参照)。
【００３２】
デバイス１から器具を解放するためには、本体部２に沿って軸方向に固定ブロック９を後退させ、続いて、それを時計回りに回転させる必要がある。デバイス１の構成は、これを行うことで、テーパーピン１０は依然として外側リング５内に位置したままであるが、それがモジュラー接続部を開放するようなものである。
【００３３】
図３および図４に示すように、本体部２の近位端部は、ドライバー(図示せず)に対してデバイス１を連結するための第２のコネクター１７を有する。
【００３４】
デバイスの洗浄を容易にするために、バイオネットリリースリング１５をＪスロット１６から分離させることができる。これを行うことによって、全てのコンポーネントは、デバイス１の本体部２に沿って自由に動くことができる。だが、第２のコネクター１７は、コンポーネントが本体部２から完全に外れるのを阻止する。
【００３５】
図７ないし図１０は、本発明の他の実施形態に基づくデバイスの遠位端部を閉ポジションにて示している。図７ないし図１０に示すデバイスは、図１ないし図６に示すデバイスと同じ特徴を有するが、テーパーキャッチ６ｂ,８ｂは、それらが、十字架接続部１９の円形断面輪郭(図９参照)およびブリッジバック接続部２０の矩形輪郭(図１０参照)の両方に対応するように、直線テーパーを備えた形状とされている点で相違する。図７ないし図１０のデバイスは、したがって、依然として、標準接続部のいずれのタイプとの係合をも可能とする。図９および図１０に示すように、テーパーキャッチ６ｂ,８ｂは、それが十字架接続部１９であるかブリッジバック接続部２０であるかに依存して、異なるポイントにおいて、接続部と係合する。さらに、図７ないし図１０のデバイスはまた、異なる形状を有する複数のその他のタイプの接続部との係合を可能とする。たとえばｎ個の面を有する接続部であり、ここで３以上である。
【００３６】
本発明に基づくデバイスの利点は、それが、標準タイプの両モジュラー接続部を単一のデバイスに取り付けることを可能とすることである。本発明に基づくデバイスはまた、異なる、非標準タイプのモジュラー接続部を単一のデバイスに取り付けることを可能とする。
【００３７】
本発明に基づくデバイスの他の利点は、それが、公知のバイオネットタイプデバイスよりも、さらに確実な接続を実現することである。これは、その上で、構造物がモジュラー接続部を支持する、より大きな領域に起因する。これはまた、固定ブロック上のテーパーピンによって生じる「クランプ」作用に起因する。
【符号の説明】
【００３８】
１  デバイス
２  本体部
３  第１のコネクター
４,５  同心リング
６ａ  テーパーキャッチ
８ａ  テーパーキャッチ
９  固定ブロック
１０  テーパーピン
１１  孔
１２  圧縮スプリング
１５  バイオネットリリースリング
１６  Ｊスロット
１７  第２のコネクター
１８  溝
１９  十字架接続部
２０  ブリッジバック接続部
【図１】
2011527216.tif 000003
【図２】
2011527216.tif 000004
【図３】
2011527216.tif 000005
【図４】
2011527216.tif 000006
【図５】
2011527216.tif 000007
【図６】
2011527216.tif 000008
【図７】
2011527216.tif 000009
【図８】
2011527216.tif 000010
【図９】
2011527216.tif 000011
【図１０】
2011527216.tif 000012
【国際調査報告】
2011527216.tif 000013
2011527216.tif 000014
2011527216.tif 000015